(57)【要約】【課題】良好な半田付けを効率よく行うことができ、ランニングコストが比較的安価でメンテナンスも容易な半田付け装置及び半田付け方法を提供する。【解決手段】プリント配線板１に回路部品２が搭載されたワーク３の下面に噴霧ノズル１４ａからフラックスＦを塗布するフラックス塗布装置１４を備える。ワーク３の下面が半田釜部１６ａ内の溶融半田Ｈに浸漬されることによって、回路部品２の端子２ａをプリント配線板１の下面側に半田付けするディップ半田槽１６を備える。ワーク移送機構１８は、フラックスＦが塗布されたワーク３をほぼ水平に支持して半田釜部１６ａの上方に移送し、ワーク３を下降させてワーク３の下面を溶融半田Ｈに浸漬させるとともに、浸漬させた状態でワーク３を水平方向に往復移動させ、溶融半田Ｈによって回路部品２の端子２ａが半田付けされた後、ワーク３を上昇させて溶融半田Ｈから離間させる。【選択図】図１
2018111122.tif 000002
【特許請求の範囲】
【請求項１】
プリント配線板に回路部品が搭載されたワークの下面に噴霧ノズルを通じて液状のフラックスを塗布するフラックス塗布装置と、半田釜部を有し、前記ワークの下面が前記半田釜部内の溶融半田に浸漬されることによって、前記回路部品の端子を前記プリント配線板の下面側に半田付けするディップ半田槽と、前記ワークを水平に支持し、前記ワークを上下方向及び水平方向の適宜の位置に移送するワーク移送機構とを備え、
前記ワーク移送機構は、前記フラックスが塗布された前記ワークを前記半田釜部の上方に移送し、前記ワークを下降させて前記ワークの下面を前記溶融半田に浸漬させるとともに、浸漬させた状態で前記ワークを水平方向に往復移動させ、前記溶融半田によって前記回路部品の端子を半田付けし、前記ワークを上昇させて前記溶融半田から離間させることを特徴とする半田付け装置。
【請求項２】
前記ワーク移送機構は、前記ワークを水平に支持するワーク支持部材と、前記ワーク支持部材を移送するアクチュエータとで構成され、前記ワーク支持部材には、上面で前記プリント配線板の下面を支持する板状の部材であって、その内側に前記回路部品の端子を露出させる半田付け孔が形成されたマスク板が設けられ、
前記フラックス塗布装置は、前記ワークが前記マスク板の上面に載置された状態で前記フラックスを塗布し、前記ディップ半田槽は、前記ワークが前記マスク板の上面に載置された状態で半田付けを行う請求項１記載の半田付け装置。
【請求項３】
前記マスク板の厚みは、前記マスク板の上面に前記ワークが載置された状態で、前記回路部品の端子が前記マスク板の下面から突出せず、前記半田付け孔の内側に収まるように設定され、
前記ワーク移送機構は、前記ワーク支持部材を前記フラックス塗布装置の位置から前記半田釜部の上方に移送し、前記ワーク支持部材を、前記ワークの下面が前記溶融半田に接触しない高さまで下降させて前記マスク板の下面を前記溶融半田に浸漬させ、再び前記ワーク支持部材を上昇させて前記マスク板を前記溶融半田から離間させる、という上下方向の往復動作が可能であるとともに、前記ワーク支持部材を下降させて前記ワークの下面を前記溶融半田に浸漬可能である請求項２記載の半田付け装置。
【請求項４】
前記フラックス塗布装置には、前記噴霧ノズルを水平方向に移送する噴霧ノズル移送機構が設けられ、前記噴霧ノズル及び前記ワークが、水平な面内を互いに交差する方向に移動することによって、前記ワーク下面の所定領域に前記フラックスが塗布される請求項１乃至３のいずれか記載の半田付け装置。
【請求項５】
前記ディップ半田槽には、細長い板状のスクレーパと、前記スクレ―パを水平に支持して上下方向及び水平方向に移送するスクレーパ移送機構とが設けられ、
前記スクレーパ移送機構が前記スクレーパを前記溶融半田内に配して水平方向に移送することによって、前記溶融半田が撹拌され、前記スクレーパ移送機構が前記スクレーパを前記溶融半田の液面の高さに配置して水平方向に移送することによって、前記溶融半田の液面に発生した酸化膜が除去される請求項１乃至４のいずれか記載の半田付け装置。
【請求項６】
プリント配線板に回路部品が搭載されたワークの下面に、噴霧ノズルを通じて液状のフラックスを塗布するフラックス塗布工程を行い、
前記フラックス塗布工程の後、前記ワークを水平にして、前記ワークの下面をディップ式の半田釜部内の溶融半田に浸漬させるとともに、浸漬させた状態で前記ワークを水平方向に往復移動させ、前記溶融半田によって前記回路部品の端子を前記プリント配線板の下面に半田付けするワーク浸漬工程を行うことを特徴とする半田付け方法。
【請求項７】
上面で前記プリント配線板の下面を支持する板状の部材であって、内側に前記回路部品の端子を露出させる半田付け孔が形成されたマスク板を用意し、前記フラックス塗布工程及び前記ワーク浸漬工程を、前記ワークを前記マスク板の上面に載置した状態で行う請求項６記載の半田付け方法。
【請求項８】
前記マスク板の厚みは、前記マスク板の上面に前記ワークを載置した状態で、前記回路部品の端子が前記マスク板の下面から突出せず、前記半田付け孔の内側に収まるように設定し、
前記フラックス塗布工程の後、前記マスク板及び前記ワークを水平にして、前記ワークの下面が前記溶融半田に接触しない高さまで下降させて前記マスク板の下面を前記溶融半田に浸漬させ、再び前記溶融半田から離間させるマスク板浸漬工程を行い、前記マスク板浸漬工程の後、前記ワーク浸漬工程を行う請求項７記載の半田付け方法。
【発明の詳細な説明】
【技術分野】
【０００１】
本発明は、プリント配線板に搭載された回路部品の端子をプリント配線板の裏面側で半田付けするための半田付け装置及び半田付け方法に関する。
【背景技術】
【０００２】
従来、この種の半田付け装置として、例えば特許文献１に開示されているように、フラックス工程、プリヒート工程、及びハンダ付け工程を全自動で行う後付け部品の多点式噴流ハンダ付け装置があった。この多点式噴流ハンダ付け装置は、電子基板及び該電子基板に後付けする部品を載置するための基板載置手段と、基板載置手段に載置された電子基板にフラックスを塗布するためのフラックス塗布手段と、フラックスが塗布された電子基板を予備加熱するための予備加熱手段と、予備加熱された電子基板に後付けする部品をフロー半田付けするための半田付け手段と、基板載置手段を昇降又はスライドさせて上記の各手段に移送するリフト手段及びスライド手段とで構成されている。
【０００３】
その他、ディップ半田付けを行うタイプの半田付け装置も広く使用されている。ディップ半田付けは、ほぼ静止した溶融半田の液面に電子基板を浸漬して部品の半田付けを行うものである。
【先行技術文献】
【特許文献】
【０００４】
【特許文献１】特開２００２−５０８５９号公報
【発明の概要】
【発明が解決しようとする課題】
【０００５】
特許文献１の多点式噴流ハンダ付け装置の場合、半田付け手段がフロー式であり、溶融半田内部のきれいな部分が次々と噴き上げられて空気に触れるので、溶融半田の酸化が進行しやすく、半田の消費量が多くなってしまうという問題がある。また、噴流用のモータやポンプを連続して駆動するため、電気料等の光熱費の負担も少なくない。さらに、溶融半田が通過する噴流用のダクトやノズルにドロスが溜まりやすく、これを取り除く作業を頻繁に行わなければならないので、清掃やメンテナンスに手間が掛かるという問題がある。
【０００６】
さらに、特許文献１の多点式噴流ハンダ付け装置は、フラックスのガス抜きのため、半田付けの前に予備加熱手段を用いてプリヒート工程を行う構成になっている。フラックスのガスとは、ロジン等の主剤を希釈するための溶剤（例えば、ＩＰＡ等）のことで、半田付け時にガスが多く発生すると、部品の端子に付着してガス溜まりができ、端子に半田が供給されなくなって接続不良が発生しやすくなる。そこで、半田付けの前に余分なガスを取り除くため、プリヒート工程が行われる。プリヒート工程は、通常、電子基板に熱風をあてたり赤外線を照射したりすることによって行われ、非常に時間が掛かる（例えば数十秒）ため、タクトタイム短縮の障害になっている。
【０００７】
ディップ半田付けを行うタイプの半田付け装置の場合、溶融半田の酸化が比較的進行しにくいので半田の消費量が少なく抑えられるという利点がある。また、噴流用のモータやポンプが不要なので電気料等の光熱費が抑えられ、清掃やメンテナンスも容易である。しかしながら、半田釜部内の溶融半田が流動せずにほぼ静止しているため、溶融半田の内部に温度差が発生しやすく、半田付け温度の管理が難しいという問題がある。例えば、半田付け時に電子基板が浸漬されると、浸漬された液面部分の温度が局部的に低下してしまい、加熱不足の半田付け不良が発生する可能性がある。
【０００８】
また、溶融半田がほぼ静止しているので、半田付け時にフラックスのガスが部品の端子に残留しやすく、多点式噴流ハンダ付け装置以上にフラックスのガスによる半田付け不良が発生しやすい。したがって、半田付け前のプリヒート工程をより入念に行わなければならず、半田付け作業のタクトタイムが一層長くなってしまう。
【０００９】
本発明は、上記背景技術に鑑みて成されたものであり、良好な半田付けを効率よく行うことができ、ランニングコストが比較的安価で設備のメンテナンスも容易な半田付け装置及び半田付け方法を提供することを目的とする。
【課題を解決するための手段】
【００１０】
本発明は、プリント配線板に回路部品が搭載されたワークの下面に噴霧ノズルを通じて液状のフラックスを塗布するフラックス塗布装置と、半田釜部を有し、前記ワークの下面が前記半田釜部内の溶融半田に浸漬されることによって、前記回路部品の端子を前記プリント配線板の下面側に半田付けするディップ半田槽と、前記ワークを水平に支持し、前記ワークを上下方向及び水平方向の適宜の位置に移送するワーク移送機構とを備え、
前記ワーク移送機構は、前記フラックスが塗布された前記ワークを前記半田釜部の上方に移送し、前記ワークを下降させて前記ワークの下面を前記溶融半田に浸漬させるとともに、浸漬させた状態で前記ワークを水平方向に往復移動させ、前記溶融半田によって前記回路部品の端子を半田付けし、前記ワークを上昇させて前記溶融半田から離間させる半田付け装置である。
【００１１】
前記ワーク移送機構は、前記ワークを水平に支持するワーク支持部材と、前記ワーク支持部材を移送するアクチュエータとで構成され、前記ワーク支持部材には、上面で前記プリント配線板の下面を支持する板状の部材であって、その内側に前記回路部品の端子を露出させる半田付け孔が形成されたマスク板が設けられ、前記フラックス塗布装置は、前記ワークが前記マスク板の上面に載置された状態で前記フラックスを塗布し、前記ディップ半田槽は、前記ワークが前記マスク板の上面に載置された状態で半田付けを行う構成にしてもよい。
【００１２】
この場合、前記マスク板の厚みは、前記マスク板の上面に前記ワークが載置された状態で、前記回路部品の端子が前記マスク板の下面から突出せず、前記半田付け孔の内側に収まるように設定され、前記ワーク移送機構は、前記ワーク支持部材を前記フラックス塗布装置の位置から前記半田釜部の上方に移送し、前記ワーク支持部材を、前記ワークの下面が前記溶融半田に接触しない高さまで下降させて前記マスク板の下面を前記溶融半田に浸漬させ、再び前記ワーク支持部材を上昇させて前記マスク板を前記溶融半田から離間させる、という上下方向の往復動作が可能であるとともに、前記ワーク支持部材を下降させて前記ワークの下面を前記溶融半田に浸漬可能な構成することが好ましい。
【００１３】
前記フラックス塗布装置には、前記噴霧ノズルを水平方向に移送する噴霧ノズル移送機構が設けられ、前記噴霧ノズル及び前記ワークが、水平な面内を互いに交差する方向に移動することによって、前記ワーク下面の所定領域に前記フラックスが塗布される構成にすることが好ましい。
【００１４】
前記ディップ半田槽には、細長い板状のスクレーパと、前記スクレ―パを水平に支持して上下方向及び水平方向に移送するスクレーパ移送機構とが設けられ、前記スクレーパ移送機構が前記スクレーパを前記溶融半田内に配して水平方向に移送することによって、前記溶融半田が撹拌され、前記スクレーパ移送機構が前記スクレーパを前記溶融半田の液面の高さに配置して水平方向に移送することによって、前記溶融半田の液面に発生した酸化膜が除去される構成にすることが好ましい。
【００１５】
また、本発明は、プリント配線板に回路部品が搭載されたワークの下面に、噴霧ノズルを通じて液状のフラックスを塗布するフラックス塗布工程を行い、前記フラックス塗布工程の後、前記ワークを水平にして、前記ワークの下面をディップ式の半田釜部内の溶融半田に浸漬させるとともに、浸漬させた状態で前記ワークを水平方向に往復移動させ、前記溶融半田によって前記回路部品の端子を前記プリント配線板の下面に半田付けするワーク浸漬工程を行う半田付け方法である。
【００１６】
上面で前記プリント配線板の下面を支持する板状の部材であって、内側に前記回路部品の端子を露出させる半田付け孔が形成されたマスク板を用意し、前記フラックス塗布工程及び前記ワーク浸漬工程を、前記ワークを前記マスク板の上面に載置した状態で行う構成にしてもよい。
【００１７】
この場合、前記マスク板の厚みは、前記マスク板の上面に前記ワークを載置した状態で、前記回路部品の端子が前記マスク板の下面から突出せず、前記半田付け孔の内側に収まるように設定し、前記フラックス塗布工程の後、前記マスク板及び前記ワークを水平にして、前記ワークの下面が前記溶融半田に接触しない高さまで下降させて前記マスク板の下面を前記溶融半田に浸漬させ、再び前記溶融半田から離間させるマスク板浸漬工程を行い、前記マスク板浸漬工程の後、前記ワーク浸漬工程を行う構成にすることが好ましい。
【発明の効果】
【００１８】
本発明の半田付け装置によれば、半田付け対象のワークにフラックスを塗布し、溶融半田に浸漬してディップ半田付けを行う、という一連の作業を全自動で行うことができる。また、ディップ式の装置なので、フロー式の装置よりもランニングコストが安価であり、清掃やメンテナンスも容易である。
【００１９】
本発明の半田付け装置及び半田付け方法によれば、ワークを溶融半田の液面に浸漬し、この状態でワークを水平方向に往復移動させることにより、ワークが浸漬されて液面の温度が局所的に低下しても、温度の低下していない部分にワークが速やかに移送されるので、ワークを適切な温度で半田付けすることができる。
【００２０】
また、ワークの下面に液状のフラックスを噴霧する構成なので、必要十分な量のフラックスをムラなく均等に塗布することができる。また、ワークを溶融半田に浸漬して往復移動させることで、フラックスのガスが回路部品の端子の部分に残留しにくくなるので、フラックスのガス抜きのためのプリヒートの時間を短くことができる。
【００２１】
また、マスク板にワークを載置した状態でフラックスを塗布した後、マスク板の下面を溶融半田の液面に浸漬して再び液面から離間させるという独特な工程を行うことによって、マスク板等に塗布されたフラックス（半田付けの品質に寄与しない余分なフラックス）のガス抜きを短時間で効果的に行うことができる。その結果、フラックスのガスによる半田付け不良がより発生しにくくなるので、プリヒートの時間を大幅に短くしたり、あるいはプリヒート自体を省略したりすることが可能になり、一連の半田付け作業のタクトタイムを格段に短縮することができる。
【図面の簡単な説明】
【００２２】
【図１】本発明の半田付け装置の一実施形態の、筐体内部の構造を示す正面図（ａ）、Ａ−Ａ断面図（ｂ）である。
【図２】ワークがセットされたキャリアを示す平面図（ａ）、正面図（ｂ）、Ｂ−Ｂ断面図（ｃ）である。
【図３】ワーク支持部材を示す平面図（ａ）、正面図（ｂ）である。
【図４】ワーク支持部材の詳細な構造を示すＣ−Ｃ断面図（ａ）、キャリアに搭載されたワークがワーク支持部材にセットされた状態を示す断面図（ｂ）である。
【図５】この実施形態の半田付け装置の動作を示す図（ａ）、（ｂ）である。
【図６】この実施形態の半田付け装置の動作を示す図（ａ）、ディップ半田槽の部分を拡大した図（ｂ）である。
【図７】この実施形態の半田付け装置の動作を示す図（ａ）、（ｂ）である。
【図８】図７（ｂ）のワーク及びワーク支持部材の部分を拡大した図であって、マスク板の下面が溶融半田に浸漬された状態を示す図（ａ）、その後、マスク板が溶融半田から離間した状態を示す図（ｂ）である。
【図９】この実施形態の半田付け装置の動作を示す図（ａ）、（ｂ）である。
【図１０】図９（ｂ）のワーク及びワーク支持部材の部分を拡大した図であって、ワークの下面が溶融半田に浸漬された状態を示す図（ａ）、その後、ワークが水平方向に移動した状態を示す図（ｂ）である。
【図１１】この実施形態の半田付け装置の動作を示す図（ａ）、ディップ半田槽の部分を拡大した図（ｂ）である。
【発明を実施するための形態】
【００２３】
以下、本発明の半田付け装置及び半田付け方法の一実施形態について、図面に基づいて説明する。この実施形態の半田付け装置１０は、プリント配線板１に回路部品２が実装されたワーク３が搬入され、回路部品２の端子２ａをプリント配線板１の下面に半田付けして搬出する、という一連の作業を全自動で行う装置である。この実施形態の半田付け方法は、半田付け装置１０により実施される。
【００２４】
半田付け装置１０は、図１（ａ）、（ｂ）に示すように、装置全体を覆う筐体１２を有し、筐体１２の側面の開口している部分がワーク搬入出口１２ａになっている。搬入口と搬出口を共通化することにより、セル生産方式のラインに設置するのに適したコンパクトな外形にすることができる。
【００２５】
半田付け装置１０内部の構成を説明する前に、半田付け装置１０に搬入されるワーク３について、図２に基づいて説明する。プリント配線板１は、例えばガラスエポキシ材やガラスコンポジット材等を基材とする略長方形の銅張積層板であり、下面に回路配線用の銅パターンがレイアウトされ、適宜の位置にランド１ａ及びスルーホール１ｂが設けられている。半田付けの対象となる回路部品２は、ここではリード状の端子２ａを有した半導体やコンデンサ等である。回路部品２は、プリント配線板１のスルーホール１ｃに端子２ａを挿入することにより、プリント配線板１の上面側に実装されている。
【００２６】
ワーク３（プリント配線板１に回路部品２が実装されたもの）は、キャリア４に１個又は複数個ずつ搭載されて取り扱われる。キャリア４は、熱容量が小さい耐熱樹脂等で形成された板材で、プリント配線板１より僅かに小さい透孔４ａがワーク３の数だけ形成され、透孔４ａの周縁部に、プリント配線板１の端部を位置決めして支持する段部４ｂが設けられている。また、作業者がワーク３及びキャリア４を持ち運ぶ際に使用する取っ手４ｃが一対に設けられている。
【００２７】
次に、半田付け装置１０内部の構成について説明する。図１に示すように、筐体１２内部は、ワーク搬入出口１２ａの下方にフラックス塗布装置１４が設置され、フラックス塗布装置１４の側方にディップ半田槽１６が設置され、ディップ半田槽１６の側方にワーク移送機構１８が設けられている。以下、図１（ａ）における左右方向をＸ軸方向（水平方向）、奥行き方向をＹ軸方向（水平方向）、上下方向をＺ軸方向と称して説明する。
【００２８】
フラックス噴霧装置１４は、ワーク３の下面に、噴霧ノズル１４ａを通じて液状のフラックスＦを塗布する装置である。噴霧ノズル１４ａは、噴霧ノズル移送装置１４ｂによってＹ軸方向の適宜の位置に移送される。
【００２９】
ディップ半田槽１６は、半田釜部１６ａを有し、ワーク３の下面が半田釜部１６ａ内の溶融半田Ｈの液面Ｈａに浸漬されることにより、回路部品２の端子２ａをプリント配線板１の下面側（ランド１ａ）に半田付けする装置である。また、ディップ半田槽１６には、細長い板状のスクレーパ１６ｂが設けられ、スクレ―パ１６ｂは、図示しないスクレーパ移送機構によりほぼ水平に支持される。そして、スクレーパ移送機構は、スクレーパ１６ｂを溶融半田Ｈ内に配し、Ｘ軸方向に移送して溶融半田Ｈを撹拌する動作と、スクレーパ１６ｂを溶融半田Ｈの液面Ｈａの高さに配し、Ｘ軸方向に移送して液面Ｈａに発生した酸化膜Ｓを除去する動作を行う。
【００３０】
ワーク移送機構１８は、ワーク３を支持してＺ軸方向及びＸ軸方向の適宜の位置に移送する装置であり、具体的には、ワーク３をほぼ水平に支持するワーク支持部材２０と、ワーク支持部材２０を移送するアクチュエータ２２とを備えている。
【００３１】
ワーク支持部材２０は、図３（ａ）、（ｂ）に示すように、内側にプリント配線板１とほぼ同じ大きさの透孔２４ａが形成された設けた底板２４と、底板２４の周縁部を囲むように立設された側板２６と、側板２６から延設されてアクチュエータ２２に取り付けられる取り付け部２８とを有し、これらが、熱容量が小さい耐熱樹脂や金属材を組み合わせて一体に形成されている。そして、底板２４の透孔２４ａを塞ぐように一対のマスク板３０が取り付けられている。
【００３２】
マスク板３０は、図４（ａ）、（ｂ）に示すように、上面でプリント配線板１の下面を支持する板状の部材で、その内側に回路部品２の端子２ａを露出させる半田付け孔３０ａが形成されている。マスク板３０は、プリント配線板１の下面を支持するとともに、溶融半田に接触させたくない領域（例えば、面実装部品が実装された領域等）を覆う働きをする。マスク板３０の素材は、半田耐食性に優れた金属又は耐熱性樹脂等が適しており、マスク板３０の厚みは、上面にワーク３が載置された状態で、回路部品２の端子２ａがマスク板３０の下面から突出せず、半田付け孔３０ａの内側に収まるように設定されている。なお、ワーク３は、キャリア４に搭載された状態でワーク支持部材２０に載置されるため、底板２４及びマスク板３０の上面に、キャリア４を位置決めして支持するための段部２４ｂが設けられている。
【００３３】
アクチュエータ２２は、図３（ａ）、（ｂ）に仮想線で示すように、Ｚ軸スライダ２２ａ及びＸ軸スライダ２２ｂで構成されている。Ｚ軸スライダ２２ａは、可動部にワーク支持部材２０の取り付け部２８が取り付けられ、底板２４及びマスク板３０をほぼ水平にした状態でワーク支持部材２０をＺ軸方向に移送する。Ｘ軸スライダは、可動部にＺ軸スライダ２２ａのレール部が取り付けられ、Ｚ軸スライダ２２ａをＸ軸方向に移送する。これにより、ワーク支持部材２０に搬入されたワーク３を水平に支持し、ワーク３をＺ軸方向及びＸ軸方向の適宜の位置に移送することができる。
【００３４】
その他、ワーク移送機構１８は、図示しない液面検出装置を備えている。液面検出装置は、センサ等を使用して溶融半田Ｈの液面Ｈａの高さを検出する装置であり、ワーク３を移送するときのＺ軸方向の位置は、液面検出装置が検出した液面Ｈａの高さを基準に決定される。液面Ｈａの高さがほぼ一定になるように管理されている場合、液面検出装置は省略することができる。
【００３５】
次に、半田付け装置１０によって実行される半田付け方法を、図５〜図１１に基づいて説明する。まず、ワーク支持部材２０がワーク搬入出口１２ａに移送され、図５（ａ）に示すように、作業者がワーク３（及びキャリア４）をワーク支持部材２０にセットする。ワーク３がワーク支持部材２０にセットされた状態は、図４（ｂ）に示す通りである。
【００３６】
なお、図４（ｂ）では省略してあるが、ワーク３が移送される時の振動等で回路部品２がプリント配線板１から脱落しないように、回路部品２を軽く押さえる仮固定治具を取り付けるようにしてもよい。さらに、半田付け装置１０に、仮固定治具が正常にセットされていないことを検出し、アラーム信号を出力するヒューマンエラー検出装置を付設してもよい。
【００３７】
その後、図５（ｂ）に示すように、Ｚ軸及びＸ軸スライダ２２ａ，２２ｂで、ワーク３及びワーク支持部材２０をフラックス噴霧装置１４の噴霧ノズル１４ａの上方に移送する。そして、フラックス塗布装置１４が、噴霧ノズル１４ａから所定量のフラックスＦを霧状に噴出させて、フラックス塗布工程を行う。
【００３８】
フラックス塗布工程では、図６（ａ）に示すように、Ｘ軸スライダ２２ｂで、ワーク３及びワーク支持部材２０を支持するＺ軸スライダ２２ａを、所定の速度でＸ軸方向（左方向）に移送する。同時に、噴霧ノズル移送機構１４ｂで、噴霧ノズル１４ａを所定の速度でＹ軸方向に移送する。この動作により、ワーク３及びワーク支持部材２０の下面の所定領域に適量のフラックスＦをムラなく塗布することができる。
【００３９】
なお、ワーク３及びワーク支持部材２０の下面の所定領域とは、少なくとも、ワーク３の下面の、マスク板３０の半田付け孔３０ａから露出している部分と、マスク板の下面の、半田付け孔３０ａの周縁部である。その他の領域（ワーク支持部材２０の底板２４の下面等）にもフラックスＦが塗布されてもよいが、半田付け時に余分なガスが発生する原因になるので、最小限にすることが好ましい。
【００４０】
また、フラックス塗布工程を行っている時間を利用して、スクレーパ１６ｂも動作する。つまり、図６（ａ）、（ｂ）に示すように、スクレーパ移送機構がスクレーパ１６ｂを溶融半田Ｈ内に配してＸ軸方向（左方向）に移送することによって、溶融半田Ｈを撹拌して内部温度を均等化する。さらに、スクレーパ１６ｂを溶融半田Ｈの液面Ｈａの高さに配して反対方向（右方向）に移送することによって、液面Ｈａに発生した酸化膜Ｓを半田釜部１６ａの端部に寄せ、液面Ｈａをきれいにする。なお、溶融半田を撹拌する動作と酸化膜を除去する動作は、フラックス塗布工程を行っている時以外のタイミングで行ってもよい。
【００４１】
フラックス塗布工程が終了すると、図７（ａ）に示すように、Ｘ軸スライダ２２ｂで、ワーク３及びワーク支持部材２０を半田釜部１６ａの上方に移送し、マスク板浸漬工程を行う。
【００４２】
マスク板浸漬工程では、図７（ｂ）に示すように、Ｚ軸スライダ２２ａで、ワーク３を及びワーク支持部材２０を下降させ、その後、再び上昇させる。この工程を詳しく説明すると、まず、図８（ａ）に示すように、ワーク３の下面が溶融半田Ｈに接触しない高さまで下降させ、マスク板３０の下面を溶融半田Ｈに浸漬させた後、図８（ｂ）に示すように、再び溶融半田Ｈから離間させる。この動作により、マスク板３０の下面に塗布されたフラックスＦ（半田付けの品質に寄与しない余分なフラックスＦ）のガス抜きが行なわれる。マスク板浸漬工程は、十分なガス抜きを行うため、複数回繰り返してもよい。
【００４３】
マスク板浸漬工程が終了すると、次はワーク浸漬工程を行う。ワーク浸漬工程では、図９（ａ）に示すように、Ｚ軸スライダ２２ａで、半田釜部１６ａの上方にあるワーク３及びワーク支持部材２０を下降させ、その後、図９（ｂ）に示すように、Ｘ軸スライダ２２ｂで、ワーク３及びワーク支持部材２０を支持するＺ軸スライダ２２ａをＸ軸方向（右方向及び左方向）に移送し、その後、Ｚ軸スライダ２２ａで、ワーク３及びワーク支持部材２０を上昇させる。
【００４４】
図９に示す工程を詳しく説明すると、まず、図１０（ａ）に示すように、ワーク３及びワーク支持部材２０を下降させ、ワーク３の下面まで溶融半田Ｈに浸漬させる。そして、図１０（ｂ）に示すように、浸漬させた状態でワーク３をＸ軸方向（右方向及び左方向）に往復移動させ、溶融半田Ｈによって、回路部品２の端子２ａをプリント配線板１の下面に半田付けする。ワーク３を往復移動させる回数は1回でもよいし複数回でもよい。そして、ワーク３及びワーク支持部材２０を上昇させ、ワーク３を溶融半田Ｈから離間させる。この動作により、ワーク３等が浸漬されて液面Ｈａの温度が局所的に低下しても、温度の低下していない部分にワーク３が速やかに移送されるので、ワーク３を適切な温度で半田付けすることができる。
【００４５】
また、先のマスク板浸漬工程で、半田付けの品質に寄与しない余分なフラックスＦのガス抜きが行われているので、ワーク浸漬工程で発生するガスは非常に少なく、ほぼワークの下面（マスク板３０の半田付け孔３０ａから露出して部分）に塗布されたフラックスＦのガスだけになる。しかも、このガスは、ワーク３がＸ軸方向に往復移動したとき、回路部品２ａの端子２ａの部分に付着せず抜けやすいので、半田付け不良が発生しにくい。
【００４６】
ワーク浸漬工程が終了すると、図１１（ａ）に示すように、Ｚ軸及びＸ軸スライダ２２ａ，２２ｂで、ワーク３及びワーク支持部材２０をワーク搬入出口１２ａに移送する。そして、作業者が、半田付けが終了したワーク３をワーク支持部材２０から取り出し、新しいワーク３をセットする。
【００４７】
また、半田付けが終了したワーク３の取り出し等を行っている時間を利用して、再びスクレーパ１６ｂが動作する。ここでは、図１１（ｂ）に示すように、先に半田釜部１６ａの端部に寄せた酸化膜Ｓを廃棄するため、酸化膜Ｓを半田釜部１６ａの外に掻き出し、回収箱１６ｃに送り込む動作を行う。この酸化膜Ｓを掻き出す動作は、半田付けが１回終了する度に毎回行うのではなく、複数回に１回行うようにしてもよい。また、ワーク３の取り出し等を行っている時以外のタイミングで行ってもよい。
【００４８】
以上説明したように、半田付け装置１０によれば、ワーク搬入出口１２ａに搬入されたワーク３にフラックスＦを塗布し、溶融半田Ｈに浸漬してディップ半田付けを行い、ワーク搬入出口１２ａに移送する、という一連の作業を全自動で行うことができる。また、ディップ式の装置なので、フロー式の装置よりもランニングコストが安価であり、清掃やメンテナンスも容易である。
【００４９】
半田付け装置１０及び半田付け方法によれば、溶融半田Ｈの温度が不均一になりやすいディップ式の構成でありながら、ワーク３を溶融半田Ｈの液面Ｈａに浸漬し、この状態でワーク３を水平方向に往復移動させるという独特の動作を行うことによって、ワーク３を適切な温度で半田付けすることができる。
【００５０】
また、液状のフラックスＦが噴霧ノズル１４ａを通じて噴霧される構成なので、単位時間当たりの噴出量等の条件を容易に管理することができる。さらに、フラックスを塗布する時、ワーク３と噴霧ノズル１４ａとの相対的な位置関係は、ワーク移送機構１８及び噴霧ノズル移送機構１４ｂの各移送速度を制御することよって容易に管理することができる。したがって、ワーク３の下面に対し、必要十分な量のフラックスＦをムラなく均等に、常に一定の条件で塗布することができる。
【００５１】
また、ワーク３等にフラックスＦが塗布された後、マスク板３０等に塗布されたフラックスＦ（半田付けの品質に寄与しない余分なフラックス）のガス抜きを行ってから、回路部品２の半田付けを行うので、フラックスＦのガスによる半田付け不良が発生しにくい。したがって、プリヒートの時間を大幅に短くしたり、あるいはプリヒート自体を省略したりすることが可能になり、一連の半田付け作業のタクトタイムを格段に短縮することができる。
【００５２】
なお、本発明の半田付け装置及び半田付け方法は、上記実施形態に限定されるものではない。例えば、上記半田付け装置１０の場合、ワーク支持部材２０及びマスク板３０でワーク３を支持し、プリント配線板１の溶融半田に接触させたくない領域（例えば、面実装部品等が実装された領域等）をマスク板３０で覆う構成になっているが、プリント配線板１の下面に溶融半田に接触させたくない領域がないときは、マスク板３０を省略し、他の方法でワーク３を支持するようにしてもよい。この場合、マスク板浸漬工程も省略することができる。
【００５３】
上記フラックス塗布装置１４は、１つの噴霧ノズル１４ａを噴霧ノズル移送機構１４ｂで移動させる構成なので、異なるワーク３が搬入されたとき、ワーク３の大きさや形状に合わせ、フラックスＦの塗布領域を容易に変更することができるという特徴があるが例えば、搬入されるワークの大きさ等がほぼ一定の場合等は、噴霧ノズル移送機構１４ｂを省略し、複数の噴霧ノズルを所定の位置に並べて設置する構成にしてもよい。
【００５４】
上記ディップ半田槽１６のスクレーパ移送機構は、スクレーパ１６ｂをＺ軸方向及びＸ軸方向に移動させることができるので、溶融半田の内部の撹拌と液面の酸化膜の除去の２つの動作を１つのスクレーパ１６ｂで行うことができるという特徴があるが、スクレーパ移送機構の構成をシンプルにするため、２つのスクレーパ（撹拌用の部材及び酸化膜除去用の部材）を別々に設けてもよい。また、スクレーパ及びスクレーパ移送機構は、必要に応じて省略してもよい。
【００５５】
上記半田付け装置１０内部のレイアウト、すなわちフラックス塗布装置１４、ディップ半田槽１６、及び搬入出口１２ａ（搬入口及び搬出口）のレイアウトは一例であり、半田付け装置が使用されるラインの構成等に合わせて適宜変更することができる。また、ワーク移送機構に使用されるアクチュエータやワーク支持部材の構成についても、半田付け装置内部のレイアウトやワークの形態に合わせ、適宜変更することができる。
【００５６】
上記実施形態の説明では、上下方向及び水平方向について、互いに直交するＸ，Ｙ，Ｚ軸方向に当てはめて説明したが、上述した作用効果が得られるものであれば、厳密に直交している必要はない。同様に、ワーク移送機構にワークが支持されたとき、ワークは厳密に水平である必要はなく、上述した動作によりワーク下面の半田付けが可能であれば、多少傾いていてもよい。
【符号の説明】
【００５７】
１  プリント配線板
２  回路部品
２ａ  端子
３  ワーク
１０  半田付け装置
１４  フラックス塗布装置
１４ａ  噴霧ノズル
１４ｂ  噴霧ノズル移送機構
１６  ディップ半田槽
１６ａ  半田釜部
１６ｂ  スクレーパ
１８  ワーク移送機構
２０  ワーク支持部材
２２  アクチェータ
３０  マスク板
３０ａ  半田付け孔
Ｈ  溶融半田
Ｈａ  液面
Ｓ  酸化膜
【図１】
2018111122.tif 000003
【図２】
2018111122.tif 000004
【図３】
2018111122.tif 000005
【図４】
2018111122.tif 000006
【図５】
2018111122.tif 000007
【図６】
2018111122.tif 000008
【図７】
2018111122.tif 000009
【図８】
2018111122.tif 000010
【図９】
2018111122.tif 000011
【図１０】
2018111122.tif 000012
【図１１】
2018111122.tif 000013